(57)【要約】      （修正有）【課題】屋根面に直接設置する従来の雪止め具取付法ではなく、破風に雪止め支持装置を取り付け屋根面に空間を設けることにより、従来の雪止め具で起きていた様々な不具合を解消し、雪を止める効果を上げることを目的とする雪止め支持装置を提供する。【解決手段】破風取付け部１と、その一端に取り付けられている断面形状が変形コの字型の雪止め支持部とからなり、その雪止めの支持部が破風取付け部の一端に鋭角に接続された第１部材２、第１部材の他端部からほぼ垂直に上方に伸びている第２部材３、第２部材の他端部から鈍角に上方に向けて伸びている第３部材４とからなり、さらに第３部材の他方の端部に設けられている屋根面より０．１〜１０ｃｍ上方に雨樋に平行に設けられている雪止め具とからなる。【選択図】図１
2015183471.tif 000002
【特許請求の範囲】
【請求項１】
破風取り付け部と、その一端に取り付けられている断面形状が変形コの字型の雪止め支    持部とからなり、その雪止め支持部が破風取り付け部の一端に鋭角に接続された第１部材、第１部材の他端部からほぼ垂直に上方に伸びている第２部材、第２部材の他端部から鈍角に上方に向けて伸びている第３部材とからなり、さらに第３部材の他方の端部に設けられている屋根面より０．１〜１０ｃｍ上方に雨樋に平行に設けられている雪止め具とからなる事を特徴とする雪止め支持装置。
【請求項２】
第１部材と第２部材との接合部に両部材をまたぐ補強部材が取り付けられている事を特徴とする請求項１記載の雪止め支持装置。
【請求項３】
第３部材の先端部に屋根と接触するスペーサー部材を設けることを特徴とする請求項１又は２に記載の雪止め支持装置。
【請求項４】
第２部材が雨樋の外縁の内側に位置することを特徴とする請求項１〜３のいずれか一項に記載の雪止め支持装置。
【発明の詳細な説明】
【技術分野】
【０００１】
本発明は、雪止め金具を屋根面ではなく、屋根面より浮かせて雪止め具を設ける樋の上方に設置する破風固定式の雪止め支持装置に関するものである。
【背景技術】
【０００２】
従来の雪止め金具は、例えば先行技術文献１にあるように、1枚の薄金属板の一端を立ち上げて雪止め部を形成したものと他端部を折り曲げて屋根装着部を形成したものとからなり、屋根装着部を屋根瓦の間に挟み込むことにより設置されている。このタイプの雪止め金具は屋根瓦の隙間を利用して固定している。
【０００３】
先行技術文献２にはカラーベスト屋根材に取り付けるタイプの雪止め具が開示されている。このタイプの雪止め具もカラーベスト屋根材の隙間を利用して雪止め具を固定するタイプである。このように従来の雪止め具は屋根面、例えば瓦とかカラーベストに直接接触する形で設ける雪止め具であった。雪止め具は屋根面の上に設けられており、その固定方法としては、瓦やカラーベスト材の隙間を利用して屋根面の内層にあるベース面への固定方法である。しかしながら、このような固定方法では直接固定部材を屋根内層に取り付けるため、その部分の腐食等により空隙を生じ雨漏りの一因となる問題点があるうえ、経年劣化し、破損しやすくなっている屋根材に取り付ける際には、屋根材の扱いに細心の注意を払う必要があった。また屋根面に直接接触するため、屋根にたまったごみや枯れ葉などが蓄積しその部分を乗り越えてたまった雪が落下していき、雪止め効果を発揮できない問題点もあった。
【先行技術文献】
【特許文献】
【０００４】
【特許文献１】特開２００１−１７３１７９号公報
【特許文献２】特開２００９−１１４８１２号公報
【発明の概要】
【発明が解決しようとする課題】
【０００５】
本発明は屋根面と雪止め具との間に空間を設けることにより、ゴミや枯れ葉などの蓄積が生じず、常に屋根面に固定物を溜めることなく、かつ、雪だけでなく、降雨時にも問題なく屋根面での集水をすみやかに雨樋に導くことが出来、かつ、後付けの雪止め具を設置しても屋根面からの雨漏れが生じず、多量の積雪時にも効果的に雪止めの出来る雪止め支持装置を提供することにある。
【課題を解決するための手段】
【０００６】
本発明は、
（１）破風取り付け部と、その一端に取り付けられている断面形状が変形コの字型の雪止め支持部とからなり、その雪止め支持部が破風取り付け部の一端に鋭角に接続された第１部材、第１部材の他端部からほぼ垂直に上方に伸びている第２部材、第２部材の他端部から鈍角に上方に向けて伸びている第３部材とからなり、さらに第３部材の他方の端部に設けられている屋根面より０．１〜１０ｃｍ上方に雨樋に平行に設けられている雪止め具とからなる事を特徴とする雪止め支持装置。
（２）第１部材と第２部材との接合部に両部材をまたぐ補強部材が取り付けられている事を特徴とする（１）記載の雪止め支持装置。
（３）第３部材の先端部に屋根と接触するスペーサー部材を設けることを特徴とする（１）又は（２）に記載の雪止め支持装置。
（４）第２部材が雨樋の外縁の内側に位置することを特徴とする（１）〜（３）のいずれか一項に記載の雪止め支持装置。
である。
【０００７】
本発明の雪止め支持装置は破風に取り付ける支持部と、その一端に設ける雪止め具からなる。雪止め支持装置の作成にあたっては、鋼板・ステンレス・アルミ・金・銅等様々な金属にて作成が可能である。各戸により異なる屋根状態に対応することができる点を特徴としているため、使用材の種類、雪止め支持装置の大きさは、様々である。破風取り付け支持部は、破風の材質、たとえば、鉄・木材・軽カル板等の違いにより、固定箇所のビスの種類・数が異なる。その破風取付け部の一端には断面形状が変形コの字型の雪止め具が加工される。変形コの字型部は、破風取付け支持部の一端より第１部材が加工されており、第１部材は、雨樋への速やかな集水と破風への雨水の流れを防ぐため、破風取付け部に対し鋭角に加工されている。第１部材他端部は、ほぼ垂直に上方に伸びている第２部材へと加工が続いている。
【０００８】
第２部材の他端部は鈍角に上方へ伸びている第３部材へと続く形状のものである。第３部材の他端部には屋根面に直接接することなく雨樋に平行に取り付けることを目的とする雪止め具が装着される。このように形成された雪止め支持装置を雨樋材の施工時に使用している雨樋吊り金具の設置と同様、破風面へビスで固定し取り付け、その後、第１部材および第２部材を覆うように雨樋吊り具へ雨樋を取り付ける。この一連の方法を破風固定式雪止め金具取付法とし、提案するものである。破風固定式雪止め金具の取付法の施工に際しては、従来の雪止め金具では形状が適さないため、上記のような破風固定式用の雪止め支持装置を取り付けるものである。
【０００９】
又、本発明においては、より雪止め支持装置の強度を上げる目的の為ネジ機構を含む高さ調整自在のスペーサー１２を設けることも可能である。
【発明の効果】
【００１０】
雪止め金具を屋根面へ設置するという従来より行われていた発想を転換し、破風へ取り付けるという本発明を用いることにより、従来の雪止め金具を取り付けることが困難な状態であった様々な屋根に対し、雪止め支持装置が設置可能であり、雪を止めることができるため、屋根材の材質、劣化状態、屋根面へ残された取付スペース、太陽光発電システムへの影響等の問題を払拭することが可能である。また、屋根面に直接接触することなく設置されているため、ゴミ・枯葉等の蓄積は生じず、雨樋への集水が問題なく、すみやかに行われる。
【図面の簡単な説明】
【００１１】
【図１】図１（A）は、破風取付け部とその一端が変形コの字型の雪止め支持部を示した斜視図であり、図１（B）は、その側面断面図である。
【図２】図２は図１の先端部分に取り付ける雪止め具を示した説明図である。
【図３】図３は雪止め支持装置を示した説明図である。
【図４】図４は雪止め支持装置を破風部分へ取り付けた状態を示した説明図である。
【図５】図５は雪止め支持装置を取付完了後、雨樋を設置した状態を示した説明図である。
【図６】図６は、第１部材と第２部材との間に設けられる補強部材１３の一例を示す図である。
【図７】図７は、本発明におけるスペーサー１２の使用例を示す図である。
【図８】実施例２における雪止め支持装置を屋根に取り付けた状態図。
【発明を実施するための形態】
【００１２】
本発明を実施例でもって説明する。
【実施例１】
【００１３】
図1の雪止め支持具における第3部材の先端部に図２に示す雪止め具５をボルトで固定の上、要すれば溶接し、雪止め支持装置を作成する。その完成図が図３である。図３の雪止め支持装置を破風へ等間隔で数か所取り付ける。取付個数や屋根面からの雪止め具の高さに関しては、屋根勾配、屋根材、屋根の寸法、太陽光設置状況、地域性を考慮し、決定する。破風の材質の違いにより、固定時のビスの種類・数を決め、破風へ固定する。
【００１４】
本具体例においては、使用材は鋼板である。  本発明の雪止め具５は厚さが３ｍｍ、幅が８０ｍｍで、その長さが３００ｍｍの帯状態を、その中心線部から直角を含む適度の角度に折り曲げで加工したものであり、これを屋根面より１０ｃｍ空間を設けた屋根端縁部に、複数個、並列的に配列固定した。
【実施例２】
【００１５】
本実施例では、上記の具体例とは異なり、予め、複数個の雪止め支持具を適宜の間隔で屋根面より１０ｃｍ空間を設けた屋根端縁部に取り付けた後、所定の長さを有する雪止め具5、例えば、厚みが３ｍｍで、幅が８０ｍｍで、かつその長さが１００００ｍｍの帯状鋼板を、その中心線部から直角を含む適度の角度に折り曲げで加工したものを、一度に上記各雪止め支持具の先端部に取り付けるものである。取付状態を図８に示す。
【符号の説明】
【００１６】
１    破風取付け部
２    第１部材
３    第２部材
４    第３部材
５    雪止め具
６    ボルト    ボルト固定の上、溶接にて固定
７    ビス      破風材質により、種類の選択
８    ビス      破風材質により、種類の選択
９    屋根
１０  破風
１１  雨樋
１２  スペーサー
１３  補強部材
【図１】
2015183471.tif 000003
【図２】
2015183471.tif 000004
【図３】
2015183471.tif 000005
【図４】
2015183471.tif 000006
【図５】
2015183471.tif 000007
【図６】
2015183471.tif 000008
【図７】
2015183471.tif 000009
【図８】
2015183471.tif 000010